(57)【要約】【課題】患者が疾患の自己検査を行うことを可能とする。【解決手段】薬袋２０の裏面に、患者自身で疾患の自己検査を行うための自己検査情報２３を印刷する。患者は、自己検査情報２３に沿って自己検査を行うことにより、疾患の有無の可能性を判断することができる。【選択図】図２
0003126497.tif 000002
【実用新案登録請求の範囲】
【請求項１】
薬剤を収納する薬袋であって、
表面に服用情報表示部を備え、裏面に自己検査情報表示部を備えたことを特徴とする薬袋。
【請求項２】
前記自己検査情報表示部は、患者の目の焦点となる固視点と、視野の欠損を検査するための視野チェックマークとを少なくとも備えた請求項１に記載の薬袋。
【請求項３】
前記視野チェックマークは、前記固視点を中心とする円の円弧上に配置される請求項２に記載の薬袋。
【請求項４】
前記円弧は、前記固視点を中心とする複数の同心円の円弧である請求項３に記載の薬袋。
【請求項５】
前記視野チェックマークは、前記固視点を通る水平基準線を基準として対称に配置される請求項３または４に記載の薬袋。
【請求項６】
前記自己検査情報表示部は、前記視野の欠損を検査する際の薬袋との距離の設定を支援する適正距離設定支援情報を有する請求項２、３、４または５に記載の薬袋。
【請求項７】
前記適正距離設定支援情報は、２つの盲点チェックマークと、該２つの盲点チェックマークの中間に位置し患者の目の焦点となる固視マークとから構成される請求項６に記載の薬袋。
【請求項８】
前記自己検査情報表示部は、黄斑部の疾患を検査するためのアムスラーチャートを少なくとも備えた請求項１に記載の薬袋。
【請求項９】
前記アムスラーチャートの中には、視野の欠損を検査するための複数の視野チェックマークを備えた請求項８に記載の薬袋。
【請求項１０】
前記アムスラーチャートの側方には、視野の欠損を検査するための複数の視野チェックマークを備えた請求項８または９に記載の薬袋。
【請求項１１】
前記複数の視野チェックマークは、上部視野チェックマーク群と下部視野チェックマーク群とから構成され、該上部視野チェックマーク群及び該下部視野チェックマーク群を構成する複数の視野チェックマークは、患者の鼻側に近づくにしたがって、該アムスラーチャートの中心を通る水平中心線に近づくように配置されている請求項９または１０に記載の薬袋。
【請求項１２】
前記上部視野チェックマーク群と前記下部視野チェックマーク群とを構成する複数の視野チェックマークは、前記水平中心線を基準として上下対象に配置されている請求項１１に記載の薬袋。
【請求項１３】
前記自己検査情報表示部は、互いに上下に反転した向きで印刷され自己検査の方法を案内する２つの検査案内情報を備えた請求項２乃至１２のいずれかに記載の薬袋。
【請求項１４】
前記自己検査情報表示部は、患者に対する質問項目からなる質問情報と、該質問項目に対する回答の評価基準からなる評価基準情報とを少なくとも備えた請求項１に記載の薬袋。
【考案の詳細な説明】
【技術分野】
【０００１】
本考案は、薬局等で薬剤を収納して患者に渡す際に使用する薬袋に関するものである。
【背景技術】
【０００２】
薬剤を収納して患者に渡すための薬袋には、薬剤の名称、服用方法等が表示される（例えば特許文献１参照）。そして、投薬を受けた患者は、印刷された情報を見ることにより、指示通りに薬剤を服用することができる。
【０００３】
【特許文献１】登録実用新案第３０３０２６９号公報
【考案の開示】
【考案が解決しようとする課題】
【０００４】
しかし、患者自身が気付いていない別の疾患を有している場合には、投与を受けた薬剤の服用によって治癒させることはできない。一方、何らかの病気にかかり薬剤の投与を受けている患者は、健常者に比べて健康への興味は高いと考えられ、病気の早期発見・早期治療を促しやすいと考えられる。
【課題を解決するための手段】
【０００５】
そこで、本考案は、薬袋の裏面に自己検査情報表示部を設けることにより、患者自身で疾患の検査を行うことができるようにしたものである。
【０００６】
自己検査情報表示部としては、例えば、患者の目の焦点となる固視点と視野の欠損を検査するための視野チェックマークとを少なくとも備えたものや、黄斑部の検査を行うためのアムスラーチャートが含まれるものや、患者に対する質問項目からなる質問情報と、質問項目に対する回答の評価基準からなる評価基準情報とを少なくとも備えたもの等があるが、これらに限定されるものではなく、疾患の自己検査を可能とする情報は、すべて含まれる。自己検査情報表示部が、固視点と視野チェックマークとを備える場合、視野チェックマークは、固視点を中心とする円の円弧上に配置され、その円弧は、固視点を中心とする複数の同心円の円弧であることが望ましい。また、視野チェックマークは、固視点を通る水平基準線を基準として対称に配置されることが望ましい。更に、自己検査情報表示部は、視野の欠損を検査する際の薬袋との距離の設定を支援する適正距離設定支援情報を有することが望ましい。適正距離設定支援情報としては、２つの盲点チェックマークと、２つの盲点チェックマークの中間に位置し患者の目の焦点となる固視マークとから構成されるものが一例として挙げられる。自己検査情報に黄斑部の疾患を検査するためのアムスラーチャートが含まれる場合は、アムスラーチャートの中または側方に、視野の欠損を検査するための複数の視野チェックマークが印刷されていることが望ましい。この場合において、複数の視野チェックマークは、上部視野チェックマーク群と下部視野チェックマーク群とから構成され、上部視野チェックマーク群及び下部視野チェックマーク群を構成する複数の視野チェックマークは、アムスラーチャートの中心から患者の鼻側に近づくにしたがって、アムスラーチャートの中心を通る水平中心線に近づくように配置されていることが望ましい。上部視野チェックマーク群と下部視野チェックマーク群とを構成する複数の視野チェックマークは、水平基準線を基準として上下対象に配置されていることが望ましい。自己検査情報表示部は、互いに上下に反転した向きで印刷され自己検査の方法を案内する２つの検査案内情報を備えることが望ましい。
【０００７】
自己検査情報表示部としては、患者に対する質問項目からなる質問情報と、該質問項目に対する回答の評価基準からなる評価基準情報とを少なくとも備えたものもある。
【考案の効果】
【０００８】
本考案では、表面に服用情報表示部を有すると共に裏面に自己検査情報表示部を有する構造としたため、薬剤を収納すると共に薬剤の用法・用量を患者が把握できるようにするという薬袋の本来の機能に加えて、患者自身による疾患の検査を促すことにより、疾患の早期発見が可能となり、これによって早期治療が可能となる。特に、何らかの病気にかかり、薬剤の投与を受けている患者は、健常者に比べて健康への興味は高いと考えられるため、薬袋に自己検査情報表示部を備えることは、より効果的である。
【０００９】
自己検査情報表示部に固視点と視野チェックマークとを備える場合は、視野異常の有無の検査が可能となる。特に、緑内障の場合は、視野が鼻側から欠けてくることが多いため、視野チェックマークが固視点を中心とする複数の同心円の円弧上に配置されていると、緑内障かどうかの判断がしやすくなる。また、緑内障では、水平基準線の上下で視野の異常の度合いが異なるという特徴を有するため、視野チェックマークが固視点を通る水平基準線を基準として対称に配置されていると、上下どちらかまたは両方の視野チェックマークが視野から欠けているかをチェックすることで、緑内障かどうかをより確実に判断することができる。
【００１０】
自己検査情報にアムスラーチャートが含まれる場合は、アムスラーチャートの見え方によって、目の黄斑部の疾患を検査することが可能となる。アムスラーチャートに加えて視野チェックマークが印刷されている場合は、視野の欠けの有無に基づき、緑内障の疑いの有無も判断することができる。特に、緑内障の場合は、視野が鼻側から欠けてくることが多いため、上部視野チェックマーク群及び下部視野チェックマーク群が、アムスラーチャートの中心から患者の鼻側に近づくにしたがって、アムスラーチャートの中心を通る水平中心線に近づくように配置されていると、緑内障かどうかの判断がしやすくなる。また、緑内障では、水平中心線の上下で視野の異常の度合いが異なるという特徴を有するため、上部視野チェックマーク群及び下部視野チャックマークが、水平中心線に近づくように配置されていると、上下どちらかの視野チェックマークが視野から欠けているかをチェックすることで、緑内障かどうかをより確実に判断することができる。更に、アムスラーチャートの中の視野チェックマーク群は、緑内障の早期の症状において視野から欠ける部分に印刷されているため、緑内障の早期発見に役立つものである。
【考案を実施するための最良の形態】
【００１１】
第一の例として、図１に示す薬袋２０について説明する。薬袋２０は、薬剤を収納して患者に渡すための袋であり、その表面は、図１に示すように、患者の氏名が記載された患者氏名情報２１と、薬剤の用法・用量が記載された用法・用量情報２２とを少なくとも備えた服用情報表示部２０ａを構成している。用法・用量情報２２の枠内における数値は、１回あたりに服用する数を示している。なお、図１の例における用法・用量情報２２には、薬の名前が印刷される欄があるが、これは必須ではない。また、薬の名前に代えて、または薬の名前と共に、薬の写真を印刷してもよい。
【００１２】
図２に示すように、薬袋２０の裏面は、患者自身で疾患の自己検査を行うための自己検査情報表示部２０ｂを構成している。自己検査情報表示部２０ｂは、少なくとも自己検査情報２３を備えており、図２の例では、更に、視野の欠損を検査する際の薬袋との距離の設定を支援する適正距離設定支援情報２４と、自己検査の方法を案内する第一の検査案内情報２５及び第二の検査案内情報２６とを備えている。第一の検査案内情報２５を構成する文字の向きと第二の検査案内情報２６を構成する文字の向きとは、上下方向に互いに反転した向きに印刷されている。
【００１３】
図２の例における自己検査情報２３は、視野欠損に基づく緑内障の疑いの有無を検査するための情報であり、患者の目の焦点となる固視点２７及び視野の欠損を検査するための複数の視野チェックマーク２８によって構成される。複数の視野チェックマーク２８は、図２のように薬袋を横向きに見た場合に固視点２７から水平方向に延びる水平基準線２９の上下に対称に配置されており、水平基準線２９より上方に配置された複数の視野チャックマーク２８からなる上部視野チャックマーク群３０と、水平基準線２９より下方に配置された複数の視野チャックマーク２８からなる下部視野チェックマーク群３１とで構成される。図示の例における視野チェックマーク２８は星形に形成されているが、どのような形状でもよい。
【００１４】
薬袋２０は、図２に示す向きでは、第一の検査案内情報２５が逆さまになった状態であり、第二の検査案内情報２６が読める状態となっている。したがって、このときは、読める方の第二の検査案内情報２６にしたがい、左目の検査を行う。一方、図３に示すように、図２の状態から薬袋２０を１８０度回転させ、第二の検査案内情報２６が逆さまになった状態であり、第一の検査案内情報２５が読める状態となっているときは、読める方の第一の検査案内情報２５にしたがい、右目の検査を行うことができる。
【００１５】
視野チェックマーク２８は、緑内障による視野障害があるか否かを判定できる位置に配置されている。具体的には、個々の視野チェックマーク２８は、固視点２７を中心とする径の異なる複数の同心円の円弧上にそれぞれ配置されている。なお、１つの円の円弧上にのみ視野チェックマークを配置するだけでも検査は可能であるが、視野の欠損及びその場所を正確に把握するためには、より多くの同心円の円弧上に視野チェックマークを配置することが望ましい。
【００１６】
薬袋２０は、図２の向きでは、左目の検査用であるため、固視点２７の左側方が患者の左耳側となり、適正距離設定支援情報２４の右側方が患者の鼻側となる。一方、図３の向きでは、固視点２７の右側方が患者の右耳側となり、適正距離設定支援情報２４の左側方が患者の鼻側となる。
【００１７】
適正距離設定支援情報２４は、自己検査情報２３を用いて自己検査をする際に、患者の目と自己検査情報２３との距離を設定するのに役立つ情報であり、図４に示すように、薬袋２０の長手方向が縦方向になるように（以下では単に「縦に」という。）持った状態で使用するもので、短手方向の中央に位置する固視マーク３２と、その左右両側に位置する第一盲点チェックマーク３３及び第二盲点チェックマーク３４とから構成される。固視マーク３２は、第一盲点チェックマーク３３と第二盲点チェックマーク３４との中間に位置する。
【００１８】
緑内障の自己検査を行おうとする患者は、最初に、図４に示したように、薬袋２０を縦に持ち、片方の目を閉じて固視マーク３２を見る。例えば、左目を閉じた場合は右目で固視マーク３２を見ながら、薬袋２０を前後方向に動かして目と薬袋との距離を変化させると、ある距離においては、右側の第二盲点チェックマーク３４が見えなくなる。これは、健常者にも見えないマリオット盲点（神経が眼球に入る網膜上の部分で、視細胞がないために光を感じることができない部分）があるからである。これによって、見えないということがどのようなものかを体験することができる。
【００１９】
次に、第二盲点チェックマーク３４が見えなくなったときの目と薬袋２０との距離を維持しながら薬袋２０を左に９０度に回転させる。そうすると、薬袋２０が図３に示した向きになる。このとき、第一の検査案内情報２５を読める方向となり、第一の検査案内情報２５による指示にしたがい、左目を閉じたまま、右目の検査を行う。
【００２０】
図３の状態では、右目のみで固視点２７を見たときに視野チェックマーク２８がすべて見えるかどうかを検査する。視野チェックマークがすべて見えず、一部が視野から欠けている場合は、緑内障の疑いがあると判断することができる。特に、固視点２７の上下に位置する視野チェックマークが見えるかどうかは、緑内障の発見のために重要である。
【００２１】
例えば、図５に示す見え方３５においては、影となっている部分である不可視領域３６が、見えない領域であり、この患者の場合は、上部視野チェックマーク群３０は見えているが、下部視野チェックマーク群３１は視野から欠けているため、緑内障の疑いがあると判断できる。
【００２２】
左目の検査を行う場合は、図４に示したように、薬袋２０を縦に持ち、右目を閉じて左目のみで固視マーク３２を見ながら、薬袋２０を前後方向に動かして目と薬袋との距離を変化させ、第一盲点チェックマーク３３が見えなくなったときの距離を把握する。そして、そのときの距離を維持しながら、薬袋２０を右に９０度回転させ、図２に示した向きとする。このとき、第二の検査案内情報２６を読める方向となり、第二の検査案内情報２６による指示にしたがい、右目を閉じたまま、左目の検査を行い、視野チェックマーク２８がすべて見えるかどうかを検査する。
【００２３】
第二の例として、図６に示す薬袋１について説明する。図示していないが、薬袋１の表面は、図１に示した薬袋２０と同様の服用情報表示部を構成している。一方、薬袋１の裏面は、図６に示す自己検査情報表示部１ｂを構成している。
【００２４】
図６の例における自己検査情報２には、複数の格子状の表からなる黄斑部の疾患を検査するための試験表であるアムスラーチャート３と、アムスラーチャート３の中心部の中心マーク４と、複数の視野チェックマーク５とが含まれている。
【００２５】
視野チェックマーク５は、視野の欠損を検査するためのマークであり、アムスラーチャート３の中及び側方に印刷されている。図示の例における視野チェックマーク５は星形に形成されているが、どのような形状でもよい。
【００２６】
アムスラーチャート３の側方の複数の視野チェックマーク５は、上部視野チェックマーク群５ａと下部視野チェックマーク群５ｂとを構成している。また、アムスラーチャート３の内部の複数の視野チェックマーク５は、上部視野チェックマーク群５ｃと下部視野チェックマーク群５ｄとを構成している。
【００２７】
上部視野チェックマーク群５ａを構成する複数の視野チェックマーク５は、アムスラーチャート３の最上部のマスの側方から、アムスラーチャート３から離れるにしたがって、すなわち患者の鼻側に近づくにしたがって斜め下方に下降して、中心マーク４を通る水平中心線４ａに近づくように配置されている。一方、下部視野チェックマーク群５ｂを構成する複数の視野チェックマーク５は、アムスラーチャート３の最下部のマスの側方から、患者の鼻側に近づくにしたがって斜め上方に上昇して水平中心線４ａに近づくように配置されている。上部視野チェックマーク群５ａ及び下部視野チェックマーク群５ｂを構成する複数の視野チェックマーク５は、水平中心線４ａを基準として上下対称に配置されている。
【００２８】
上部視野チェックマーク群５ｃ及び下部視野チェックマーク群５ｄは、アムスラーチャート３の内部に印刷されており、これらを構成する複数の視野チェックマーク５は、水平中心線４ａを基準として上下対称に配置され、患者の鼻側に近づくにしたがって水平中心線４ａに近づくように配置されている。
【００２９】
アムスラーチャート３の上方及び下方には、患者に対して自己検査の方法を案内する情報からなる第一の検査案内情報６及び第二の検査案内情報７が印刷されている。第一の検査案内情報６を構成する文字の向きと第二の検査案内情報７を構成する文字の向きとは、上下方向に互いが反転した関係となっている。
【００３０】
上部視野チェックマーク群５ａ及び下部視野チェックマーク群５ｂの左側には、自己検査のやり方が示された検査方法情報８が印刷されている。
【００３１】
例えば、右目の自己検査を行うときは、薬袋１を、図６に示す向き、すなわち、検査する目とは逆の左目に関する指示である「左目を閉じて見て下さい（右目用）」という第一の検査案内情報６を読める方向に向ける。一方、左目の検査を行うときは、図７に示すように、薬袋１の向きを、右目の検査時から上下に逆転させ、「右目を閉じて見て下さい（左目用）」という第二の検査案内情報７を読める方向にする。
【００３２】
第一の検査案内情報６の指示通りに左目を閉じ、検査方法情報８の指示通りに薬袋から３０ｃｍほど離れ、その位置から右目のみでアムスラーチャート３の中心の中心マーク４を見たときに、例えば図８に示す見え方９のように、縦の線または横の線がゆがんで見えたり、線が途中で切れて見えたりする場合は、右目の網膜の黄斑部に加齢黄斑変性症等の症状が疑われると判断できる。左目で見た場合も同様である。
【００３３】
また、右目または左目で中心マーク４を見た際に、視野チェックマーク５がすべて見えず、一部が視野から欠けている場合は、緑内障の疑いがあると判断することができる。この場合は、眼圧検査（眼の硬さを計る検査）、眼底検査（眼の中を見る検査）、視野検査（片目ずつについての見える範囲の検査）等が必要であると判断することができる。
【００３４】
上部視野チェックマーク群５ａ及び下部視野チェックマーク群５ｂは、右目で見た場合も左目で見た場合も、アムスラーチャート３よりも鼻側に位置している。これは、視野欠損の場合、鼻側から視野が欠けてくる場合が多く、鼻側の視野をチェックすることが緑内障の検査に効果的だからである。一方、上部視野チェックマーク群５ｃ及び下部視野チェックマーク群５ｄは、緑内障早期に視野が欠ける場所に設けられている。また、上部視野チェックマーク群５ａと下部視野チェックマーク群５ｂ、上部視野チェックマーク群５ｃと下部視野チェックマーク群５ｄが上下に対称に配置されているのは、緑内障では、水平中心線の上下で異常の度合いが異なるという特徴的な視野欠損が起こることが多いため、上下どちらが欠けているかをチェックすることが効果的だからである。
【００３５】
図９に示す検査結果１０は、自動視野計を用いて、３３ｃｍの検査距離で３０度の範囲で求めたある緑内障患者の視野の範囲を示しており、黒い部分１１が見えない領域となっている。この患者が薬袋１の中心マーク４を右目で見たときの視野は、図１０に示す見え方１２のようになる。図１０において、影となっている部分である不可視領域１３が、見えない領域である。図１０からわかるように、この患者の場合は、下部視野チェックマーク群５ｂは見えているが、上部視野チェックマーク群５ａは見えていないため、緑内障の疑いがあると判断できる。また、アムスラーチャート３の内部の上部視野チェックマーク群５ｃについても、視野に入っていない。このように、図１０において上部視野チェックマーク群５ａ、５ｃが視野から欠けることで、緑内障患者への有用性が確認できる。
【００３６】
次に、第三の例として、図１１に示す薬袋１４について説明する。図示していないが、薬袋１４の表面は、図１の薬袋２０と同様の服用情報表示部を構成している。一方、裏面は、自己検査情報表示部１４ｂを構成している。自己検査情報表示部１４ｂは、自己検査情報１５を備えている。図１１の例における自己検査情報１５には、高血圧症かどうかをチェックするための複数の患者に対する質問項目からなる質問情報１６と、その質問項目に対する回答法が示された回答法情報１７と、質問項目に対する回答の評価基準を示した評価基準情報１８とが含まれる。
【００３７】
図１１の例における自己検査情報１５は、高血圧症を早期に発見するのための情報であり、回答法情報１７の上には、説明情報１９が印刷されており、この検査がどのような検査なのかを示している。
【００３８】
患者は、質問情報１６を構成する各質問項目について、回答法情報１７に示された回答法に沿って採点して合計の点数を求めることによって、評価基準情報１８に基づいて、高血圧症の可能性を判断することができる。
【００３９】
次に、第四の例として、図１２に示す薬袋４０について説明する。図示していないが、薬袋４０の表面は、図１の薬袋２０と同様の服用情報表示部を構成している。一方、図１２に示すように、薬袋４０の裏面は、自己検査情報表示部４０ｂを構成している。自己検査情報表示部４０ｂは、ＢＭＩ（Ｂｏｄｙ  Ｍａｓｓ  Ｉｎｄｅｘ）の値から肥満度を検査するための情報であり、１つの質問項目からなる質問情報４１と、ＢＭＩの値に対応する肥満度の基準が記載された評価基準情報４２とから構成される。
【００４０】
患者は、質問情報４１で示された計算式にしたがってＢＭＩの値を求め、評価基準情報４２で示された内容によって、自分の肥満度を認識することができる。
【００４１】
以上説明したように、本発明の薬袋では、表面に服用情報表示部を有すると共に裏面に自己検査情報表示部を有する構造としたため、薬剤を収納すると共に薬剤の用法・用量を把握するという薬袋の本来の機能に加えて、患者自身による疾患の検査を促すことにより、疾患の早期発見が可能となり、これによって早期治療が可能となる。特に、何らかの病気にかかり、薬剤の投与を受けている患者は、健常者に比べて健康への興味は高いと考えられるため、薬袋に自己検査情報表示部を備えることは、より効果的である。
【００４２】
なお、これまでに挙げたすべての例における表面、裏面の区別は説明上の便宜的なもので、服用情報表示部を備えている方を裏面、自己検査情報表示部を備えている方を表面と捉えることもできる。
【図面の簡単な説明】
【００４３】
【図１】薬袋の第一の例の表面を示す平面図である。
【図２】薬袋の第一の例の裏面を示す平面図である。
【図３】薬袋の第一の例の裏面を示す平面図である。
【図４】薬袋の第一の例の裏面を示す平面図である。
【図５】薬袋を見た際の視野を示す説明図である。
【図６】薬袋の第二の例の裏面を示す平面図である。
【図７】薬袋の第二の例の裏面を示す平面図である。
【図８】アムスラーチャートがゆがんで見えた状態を示す説明図である。
【図９】自動視野計により検査結果を示す説明図である。
【図１０】薬袋を見た際の視野を示す説明図である。
【図１１】薬袋の第三の例の裏面を示す平面図である。
【図１２】薬袋の第四の例の裏面を示す平面図である。
【符号の説明】
【００４４】
１：薬袋
２：自己検査情報  ３：アムスラーチャート  ４：中心マーク
４ａ：水平中心線  ５：視野チェックマーク
５ａ、５ｃ：上部視野チェックマーク群  ５ｂ、５ｄ：下部視野チェックマーク群
６：第一の検査案内情報  ７：第二の検査案内情報
８：検査方法情報
１４：薬袋
１５：自己検査情報  １６：質問情報  １７：回答法情報  １８：評価基準情報
１９：説明情報
２０：薬袋
２０ａ：服用情報表示部
２１：患者氏名情報  ２２：用法・用量情報
２３：自己検査情報  ２４：適正距離設定支援情報
２５：第一の検査案内情報  ２６：第二の検査案内情報
２７：固視点  ２８：視野チェックマーク  ２９：水平基準線
３０：上部視野チェックマーク群  ３１：下部視野チェックマーク群
３２：固視マーク  ３３：第一盲点チェックマーク  ３４：第二盲点チェックマーク
４０：薬袋
４０ｂ：自己検査情報表示部
４１：質問情報  ４２：評価基準情報
【図１】
0003126497.tif 000003
【図２】
0003126497.tif 000004
【図３】
0003126497.tif 000005
【図４】
0003126497.tif 000006
【図５】
0003126497.tif 000007
【図６】
0003126497.tif 000008
【図７】
0003126497.tif 000009
【図８】
0003126497.tif 000010
【図９】
0003126497.tif 000011
【図１０】
0003126497.tif 000012
【図１１】
0003126497.tif 000013
【図１２】
0003126497.tif 000014